Podtech/llm-jp-corpus-v4-ja_patent huggingface dataset:
【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
接続された撮像装置によって撮像された画像データを出力装置に送信する画像送信装置において、
前記撮像装置から前記撮像装置の識別子を受信する第１の受信手段と、
前記出力装置の種別情報を受信する第２の受信手段と、
前記撮像装置において実行される画像データの処理に用いられるパラメータ設定値を記憶する記憶手段と、
前記記憶手段によって記憶されたパラメータ設定値から、前記第１の受信手段によって受信された前記撮像装置の識別子および前記第２の受信手段によって受信された前記出力装置の種別情報に対応するパラメータ設定値を選択し、前記撮像装置に画像データの処理をさせるべく、前記撮像装置に前記選択されたパラメータ設定値を出力する処理を制御する制御手段と、
前記撮像装置において処理された画像データを取得し、前記取得した画像データを前記出力装置に送信する送信手段とを有することを特徴とする画像送信装置。
【請求項２】
前記出力装置に対応する前記パラメータ設定値をネットワークを介して取得する取得手段を有し、
前記制御手段は、前記記憶手段によって記憶されたパラメータ設定値または前記取得手段により取得したパラメータ設定値から、前記第１の受信手段によって受信された前記撮像装置の識別子および前記第２の受信手段によって受信された前記出力装置の種別情報に対応するパラメータ設定値を選択することを特徴とする請求項１に記載の画像送信装置。
【請求項３】
前記取得手段により前記パラメータ設定値を取得するか否かを前記出力装置に問い合わせる問い合わせ手段を有することを特徴とする請求項２に記載の画像送信装置。
【請求項４】
前記取得手段によりパラメータ設定値を取得できない場合に、取得できなかたことを前記出力装置に通知する通知手段を有することを特徴とする請求項２に記載の画像送信装置。
【請求項５】
前記記憶手段によって記憶されたパラメータ設定値には、前記第１の受信手段によって受信された前記撮像装置の識別子および前記第２の受信手段によって受信された前記出力装置の種別情報に対応するパラメータ設定値を選択できない場合に選択するパラメータ設定値も含まれることを特徴とする請求項１に記載の画像送信装置。
【請求項６】
前記記憶手段によって記憶された前記パラメータ設定値をユーザにより変更させる手段を有することを特徴とする請求項１に記載の画像送信装置。
【請求項７】
撮像手段から得られた画像データを出力装置に送信する撮像装置において、
前記撮像装置において実行される画像データの処理に用いられるパラメータ設定値を取得すべく、前記撮像装置の識別子および前記受信手段によって受信された出力装置の種別情報をサーバに送信する送信手段と、
前記送信手段によって送信された前記撮像装置の識別子および前記受信手段によって受信された出力装置の種別情報に対応するパラメータ設定値を前記サーバから取得し、前記パラメータ設定値を用いて前記撮像手段から得られた画像データを処理する画像処理手段と、
前記画像処理手段によって処理された画像データを前記出力装置に送信する送信手段とを有することを特徴とする撮像装置。
【請求項８】
前記パラメータ設定値を取得するか否かを前記出力装置に問い合わせる問い合わせ手段を有することを特徴とする請求項７に記載の撮像装置。
【請求項９】
前記パラメータ設定値を取得できない場合に、取得できなかたことを前記出力装置に通知する通知手段を有することを特徴とする請求項７に記載の撮像装置。
【手続補正２】
【補正対象書類名】明細書
【補正対象項目名】０００６
【補正方法】変更
【補正の内容】
【０００６】
上述した目的を達成するために、本願発明によれば、接続された撮像装置によって撮像された画像データを出力装置に送信する画像送信装置において、前記撮像装置から前記撮像装置の識別子を受信する第１の受信手段と、前記出力装置の種別情報を受信する第２の受信手段と、前記撮像装置において実行される画像データの処理に用いられるパラメータ設定値を記憶する記憶手段と、前記記憶手段によって記憶されたパラメータ設定値から、前記第１の受信手段によって受信された前記撮像装置の識別子および前記第２の受信手段によって受信された前記出力装置の種別情報に対応するパラメータ設定値を選択し、前記撮像装置に画像データの処理をさせるべく、前記撮像装置に前記選択されたパラメータ設定値を出力する処理を制御する制御手段と、前記撮像装置において処理された画像データを取得し、前記取得した画像データを前記出力装置に送信する送信手段とを有することを特徴とする画像送信装置を提供する。
【手続補正３】
【補正対象書類名】明細書
【補正対象項目名】０００７
【補正方法】変更
【補正の内容】
【０００７】
本発明によれば、高画質で後処理可能なデータ形式であるＲＡＷデータで撮像された画像を、ユーザの高度な知識や経験を必要とせず、ネットワーク上で簡単に取り扱うことが可能となる。
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
制御部と記憶部を備え、前記記憶部に、少なくとも個人識別情報と、電話番号と、メールアドレスとを相互に関連づけて記憶可能な通信装置において、
前記制御部は、特定の個人識別情報につき着信拒否登録がなされた場合は、その個人識別データに関連する電話番号とメールアドレスからの通信を自動的に着信拒否対象とすることを特徴とする通信装置。
【請求項２】
着信拒否登録を行う際の個人識別情報として当該個人の画像を用いることを特徴とする請求項１に記載の通信装置。
【請求項３】
請求項２記載の通信装置であり、前記個人の画像を一度に複数表示することを特徴とする通信装置。
【手続補正２】
【補正対象書類名】明細書
【補正対象項目名】発明の名称
【補正方法】変更
【補正の内容】
【発明の名称】通信装置
【手続補正３】
【補正対象書類名】明細書
【補正対象項目名】０００１
【補正方法】変更
【補正の内容】
【０００１】
本発明は着信拒否機能を備えた通信装置に関する。
【手続補正４】
【補正対象書類名】明細書
【補正対象項目名】０００６
【補正方法】変更
【補正の内容】
【０００６】
請求項１に記載の発明は、制御部と記憶部を備え、前記記憶部に、少なくとも個人識別情報と、電話番号と、メールアドレスとを相互に関連づけて記憶可能な通信装置において、前記制御部は、特定の個人識別情報につき着信拒否登録がなされた場合は、その個人識別データに関連する電話番号とメールアドレスからの通信を自動的に着信拒否対象とすることを特徴とする。
【手続補正５】
【補正対象書類名】明細書
【補正対象項目名】０００８
【補正方法】変更
【補正の内容】
【０００８】
（２）また本発明は、上記構成の通信装置において、着信拒否登録を行う際の個人識別情報として当該個人の画像を用いることを特徴としている。
【手続補正６】
【補正対象書類名】明細書
【補正対象項目名】００１１
【補正方法】変更
【補正の内容】
【００１１】
本発明によると、個人識別情報に着信拒否登録の処理を行うことにより、関連する電話番号とメールアドレスを一括して自動的に着信拒否対象とすることができ、携帯電話機等の通信装置の使い勝手が向上する。また着信拒否登録を行う際の個人識別情報として当該個人の画像を用いることにより、誤り無く着信拒否登録を行ことができる。
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
バックライト付きの液晶表示パネルと、筐体側面に設けられたタッチセンサと、このタッチセンサからの信号を有効化できるタッチ点灯モードにおいて前記バックライトの点灯制御を行う制御部とを備え、
前記制御部は、前記タッチ点灯モード時、前記タッチセンサからのタッチ信号が存続するかぎり前記バックライトを点灯させ続けることを特徴とする電子機器。
【請求項２】
前記バックライト点灯後に前記タッチ信号が消滅したあと、バックライトの点灯が所定時間継続されることを特徴とする請求項１に記載の電子機器。
【請求項３】
前記タッチセンサは複数のものが異なる場所に配置されており、全タッチセンサへの同時接触が有効なタッチ信号の条件であることを特徴とする請求項１または２に記載の電子機器。
【請求項４】
前記タッチセンサがバックライトの点灯に関与する液晶表示パネルは折り畳み式筐体の内側の面に配置されており、前記筐体を開いたときのみ前記タッチ点灯モードが有効になることを特徴とする請求項１〜３のいずれか１項に記載の電子機器。
【手続補正２】
【補正対象書類名】明細書
【補正対象項目名】発明の名称
【補正方法】変更
【補正の内容】
【発明の名称】電子機器
【手続補正３】
【補正対象書類名】明細書
【補正対象項目名】０００１
【補正方法】変更
【補正の内容】
【０００１】
本発明はバックライト付きの液晶表示パネルを備えた電子機器に関する。
【手続補正４】
【補正対象書類名】明細書
【補正対象項目名】０００５
【補正方法】変更
【補正の内容】
【０００５】
（１）上記目的を達成するために本発明では、電子機器を次のように構成した。すなわちバックライト付きの液晶表示パネルと、筐体側面に設けられたタッチセンサと、このタッチセンサからの信号を有効化できるタッチ点灯モードにおいて前記バックライトの点灯制御を行う制御部とを備え、前記制御部は、前記タッチ点灯モード時、前記タッチセンサからのタッチ信号が存続するかぎり前記バックライトを点灯させ続けるものとした。
【手続補正５】
【補正対象書類名】明細書
【補正対象項目名】０００６
【補正方法】変更
【補正の内容】
【０００６】
この構成によると、電子機器がタッチ点灯モードであれば、タッチセンサに触れているかぎりバックライトが点灯しているから、検索あるいは照明の目的を達成するまでバックライトを点灯させておくことができ、使い勝手が良い。
【手続補正６】
【補正対象書類名】明細書
【補正対象項目名】０００７
【補正方法】変更
【補正の内容】
【０００７】
（２）また本発明は、上記構成の電子機器において、前記バックライト点灯後に前記タッチ信号が消滅したあと、バックライトの点灯が所定時間継続されることを特徴としている。
【手続補正７】
【補正対象書類名】明細書
【補正対象項目名】０００８
【補正方法】変更
【補正の内容】
【０００８】
この構成によると、例えば電子機器を机の上に置いてタッチセンサから手を離した場合、所定時間はバックライトの点灯が継続しているから、改めてタッチセンサにさわり直すことなくキー入力を続行することができる。
【手続補正８】
【補正対象書類名】明細書
【補正対象項目名】０００９
【補正方法】変更
【補正の内容】
【０００９】
（３）また本発明は、上記構成の電子機器において、前記タッチセンサは複数のものが異なる場所に配置されており、全タッチセンサへの同時接触が有効なタッチ信号の条件であることを特徴としている。
【手続補正９】
【補正対象書類名】明細書
【補正対象項目名】００１１
【補正方法】変更
【補正の内容】
【００１１】
（４）また本発明は、上記構成の電子機器において、前記タッチセンサがバックライトの点灯に関与する液晶表示パネルは折り畳み式筐体の内側の面に配置されており、前記筐体を開いたときのみ前記タッチ点灯モードが有効になることを特徴としている。
【手続補正１０】
【補正対象書類名】明細書
【補正対象項目名】００１３
【補正方法】変更
【補正の内容】
【００１３】
本発明によると、暗がりで長時間検索したり、暗がりを照明するといった必要に迫られたとき、タッチセンサにさわり続けることにより、目的を達成できるまで液晶表示パネルのバックライトの点灯を継続することができ、電子機器の使い勝手を著しく向上させることができる。
【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
吸入空気量計測手段（２０）からの出力に基づいて吸入空気量を演算する吸入空気量演算手段（７４）と、前記吸入空気量に基づいて燃料噴射量を演算する燃料噴射量演算手段（７５）と、を備えた内燃機関の制御装置であって、
該制御装置（１０）は、前記吸入空気量計測手段（２０）に供給される電圧（ＶＢ）が、前記吸入空気量計測手段（２０）の作動最低電圧（ＶＢ１）以下の第一区間にある場合には、前記吸入空気量又は前記燃料噴射量を所定の値に置き換える補正を行い、
前記供給電圧（ＶＢ）が、前記作動最低電圧（ＶＢ１）よりも大きく、所定の電圧（ＶＢ２）以下の第二区間にある場合には、前記供給電圧（ＶＢ）に基づいて前記吸入空気量又は前記燃料噴射量を補正することを特徴とする内燃機関の制御装置。
【請求項２】
前記制御装置（１０）は、前記供給電圧（ＶＢ）に関する補正式又はテーブルを備え、前記供給電圧（ＶＢ）が前記第二区間にある場合には、前記吸入空気量又は前記燃料噴射量を、前記補正式又は前記テーブルを用いて補正することを特徴とする請求項１に記載の内燃機関の制御装置。
【請求項３】
前記制御装置（１０）は、前記供給電圧（ＶＢ）が第一区間にある場合には、前記置き換え補正を前記吸入空気量又は前記燃料噴射量を一定値に置き換えることにより行うことを特徴とする請求項１又は２に記載の内燃機関の制御装置。
【請求項４】
前記一定値は、前記供給電圧（ＶＢ）が前記作動最低電圧（ＶＢ１）以下になる直前の前記吸入空気量又は前記燃料噴射量であることを特徴とする請求項３に記載の内燃機関の制御装置。
【請求項５】
前記第一及び第二区間の前記吸入空気量又は前記燃料噴射量の補正は、前記吸入空気量又は前記燃料噴射量を増量する補正であることを特徴とする請求項１〜４のいずれかに記載の内燃機関の制御装置。
【請求項６】
前記制御装置は、前記供給電圧（ＶＢ）が前記作動最低電圧（ＶＢ１）以下になってから前記作動最低電圧（ＶＢ１）以上になるまでの吸入空気量を、前記作動最低電圧（ＶＢ１）以上になった直後の吸入空気量で推定し、該推定した吸入空気量に基づいて、前記燃料噴射量を演算することを特徴とする請求項１又は２に記載の内燃機関の制御装置。
【請求項７】
前記制御装置（１０）は、前記供給電圧（ＶＢ）が前記作動最低電圧（ＶＢ１）以下になる直前の吸入空気量と、前記供給電圧（ＶＢ）が前記作動最低電圧（ＶＢ１）以上になる直後の吸入空気量と、に基づいて、前記供給電圧（ＶＢ）が前記作動最低電圧（ＶＢ１）以下となってから前記作動最低電圧（ＶＢ１）以上となるまでの吸入空気量を推定し、該推定した吸入空気量に基づいて前記燃料噴射量を演算することを特徴とする請求項１又は２に記載の内燃機関の制御装置。
【請求項８】
前記制御装置（１０）は、前記燃料噴射量の変化量に基づいて、前記燃料噴射量を制限することを特徴とする請求項６又は７に記載の内燃機関の制御装置。
【手続補正書】
【提出日】平成21年1月7日(2009.1.7)
【手続補正１】
【補正対象書類名】明細書
【補正対象項目名】００１１
【補正方法】変更
【補正の内容】
【００１１】
本発明によれば、パレット支持手段を、工作機械本体との間でパレットの交換を行う第一位置と、パレット収納装置の受け渡し位置との間でパレットの受け渡しを行う第二位置との間で移動可能に設け、第二位置側への移動によりワーク搬入口の前方にスペースを設けることができるように構成しているため、作業者が工作機械本体のワーク搬入口を介してメンテナンス作業を行いたい場合に、パレット支持手段の第二位置側への移動により、ワーク搬入口の前方に作業スペースを確保することができる。したがって、本件出願人が先に提案したものと比較すると、ワーク搬入口の前方に作業者にとって十分な作業スペースを確実に確保することができ、使い勝手が良い。
また、本発明によれば、パレット交換装置に、パレットを保持可能な複数のパレット保持部を有し、任意のパレット保持部をパレット支持手段との間でパレットの受け渡しが行われる受け渡し位置へ割出可能としたパレット収納装置を備えている。したがって、工作機械本体にて加工中に、次に加工するワークが載置されたパレットを準備する等といった作業を効率良く行うことができ、加工効率の向上を図ることができる上、パレットの受け渡し位置への割出作業等を行わない従来のものと比較すると、パレット支持手段の移動距離の短縮等を図ることができ、ひいては装置自体の小型化、交換に必要な時間の短縮といった効果を奏することができる。
さらに、請求項２に記載の発明によれば、パレット収納装置を、本体から径方向へパレット保持部を突設してなり、垂直軸を中心とした本体の旋回動作により、任意のパレット保持部を受け渡し位置へ割り出すように構成している。したがって、一列にパレットを収納するような従来のパレット収納装置と比較して、パレット収納装置の更なる小型化、すなわちパレット交換装置の更なる小型化を実現することができる。
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
マイクロ流路の内壁の少なくとも一部に刺激応答性ゲルを化学結合により結合したマイクロ流路、又は、刺激応答性ゲルよりなるマイクロ流路を有し、
マイクロ流路の断面積を前記刺激応答性ゲルへの刺激により調節することを特徴とする
マイクロ流路デバイス。
【請求項２】
刺激応答性ゲルの刺激種が、光、電気、任意の化学種、及び、温度変化よりなる群から選ばれた少なくとも１つの刺激種である請求項１に記載のマイクロ流路デバイス。
【請求項３】
刺激応答性ゲルの刺激種が、光である請求項２に記載のマイクロ流路デバイス。
【請求項４】
刺激応答性ゲルの刺激種が、電気である請求項２に記載のマイクロ流路デバイス。
【請求項５】
刺激応答性ゲルの刺激種が、任意の化学種である請求項２に記載のマイクロ流路デバイス。
【請求項６】
刺激応答性ゲルの刺激種が、温度変化である請求項２に記載のマイクロ流路デバイス。
【請求項７】
刺激応答性ゲルが、アゾ基を有する高分子化合物の架橋物、フェニルボロン酸単量体とエチレン性不飽和単量体との共重合体の架橋物、又は、Ｎ−アルキル置換（メタ）アクリルアミド共重合体の架橋体である請求項１又は２に記載のマイクロ流路デバイス。
【請求項８】
前記マイクロ流路がＹ字型である請求項１〜７のいずれか１つに記載のマイクロ流路デバイス。
【手続補正書】
【提出日】平成21年4月13日(2009.4.13)
【手続補正１】
【補正対象書類名】特許請求の範囲
【補正対象項目名】請求項１
【補正方法】変更
【補正の内容】
【請求項１】
使用済み半導体研磨用スラリーを、再生用の半導体研磨用スラリーと廃棄用の半導体研磨用スラリーとに分別して回収する半導体研磨用スラリーの回収方法において、
使用済み半導体研磨用スラリーの導電率又はｐＨを測定し、得られた導電率又はｐＨの値により、スラリー濃度の高い再生用の半導体研磨用スラリーと該再生用の半導体研磨用スラリーよりもスラリー濃度の低い廃棄用の半導体研磨用スラリーとを判別して、分別回収することを特徴とする半導体研磨用スラリーの回収方法。
【手続補正２】
【補正対象書類名】特許請求の範囲
【補正対象項目名】請求項５
【補正方法】変更
【補正の内容】
【請求項５】
使用済み半導体研磨用スラリーを収容する収容タンクと、前記使用済み半導体研磨用スラリーの導電率又はｐＨを測定する測定手段と、前記測定手段による測定結果に基づいていずれか一方が開状態に制御され、前記使用済み半導体研磨用スラリーを再生用の半導体研磨用スラリーと廃棄用の半導体研磨用スラリーに分別する２つのバルブと、前記再生用の半導体研磨用スラリーを回収する回収タンクと、前記廃棄用の半導体研磨用スラリーを回収する廃棄タンクと、を有することを特徴とする半導体研磨用スラリーの回収システム。
【手続補正３】
【補正対象書類名】明細書
【補正対象項目名】００１６
【補正方法】変更
【補正の内容】
【００１６】
本願発明の半導体研磨用スラリーの回収システムは、使用済み半導体研磨用スラリーを収容する収容タンクと、使用済み半導体研磨用スラリーの導電率又はｐＨを測定する測定手段と、測定手段による測定結果に基づいていずれか一方が開状態に制御され、使用済み半導体研磨用スラリーを再生用の半導体研磨用スラリーと廃棄用の半導体研磨用スラリーに分別する２つのバルブと、再生用の半導体研磨用スラリーを回収する回収タンクと、廃棄用の半導体研磨用スラリーを回収する廃棄タンクと、を有することを特徴とするものである。
【手続補正４】
【補正対象書類名】明細書
【補正対象項目名】００２５
【補正方法】変更
【補正の内容】
【００２５】
本発明において、まず使用済みの研磨用スラリーの導電率又はｐＨを測定するが、これは研磨用スラリーの状態の変化をみるのに有効であって、特に、研磨用スラリーに洗浄水がどの程度の割合で混入しているかを、その測定値を観察することで容易に判定することができる。
【手続補正５】
【補正対象書類名】明細書
【補正対象項目名】００３５
【補正方法】変更
【補正の内容】
【００３５】
また、本発明に用いるイオン交換装置としては、こちらも従来、純水又は超純水の製造に用いられていたものであれば特に限定されずに用いることができ、例えば、強酸性カチオン交換樹脂、弱酸性カチオン交換樹脂、強塩基性アニオン交換樹脂、弱塩基性アニオン交換樹脂が挙げられ、カチオン交換樹脂とアニオン交換樹脂を組み合わせることも可能である。
【手続補正６】
【補正対象書類名】明細書
【補正対象項目名】００５８
【補正方法】変更
【補正の内容】
【００５８】
これは、例えば、図２に示したようにタングステンの濃度と導電率の関係とからわかるように、タングステンの含有量が多くなるほど、導電率が上昇することから、導電率を測定することにより使用済みの研磨用スラリーに研磨クズとして含まれるタングステンが十分に除去されていることを確認できる。これは同時に、その前段のキレート形成性繊維又はイオン交換樹脂が十分に機能していることも確認でき、キレート形成性繊維又はイオン交換樹脂の交換時期を判断するのに利用することもできる。なお、ここで用いた溶液は、タングステンＣＭＰ用のスラリーに９９．９５％のタングステン粉末を添加して溶解させて調製したものである。
【手続補正７】
【補正対象書類名】明細書
【補正対象項目名】００５９
【補正方法】変更
【補正の内容】
【００５９】
これと同様に、図３に示した硝酸第二鉄の濃度と導電率との関係、図４に示した硝酸第二鉄の濃度とｐＨとの関係からも同様のことが言え、使用済み研磨用スラリーからその構成成分である硝酸第二鉄が除去されていることが確認できる。また、上記と同様に、その前段のキレート形成性繊維又はイオン交換樹脂が十分に機能していることも確認でき、キレート形成性繊維又はイオン交換樹脂の交換時期を判断するのに利用することもできる。なお、ここで用いた溶液は、タングステンＣＭＰ用のスラリーをＣＭＰ後に回収し、孔径５μｍのフィルター及びキレート形成処理装置に通液した後、硝酸第二鉄〔Ｆｅ（ＮＯ３）３〕を添加し溶解させて調製したものである。
【手続補正書】
【提出日】平成21年5月26日(2009.5.26)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向けて打ち込まれた遊技球が流下可能な遊技盤と、
前記遊技盤の遊技領域に設けられ、当該遊技領域に向けて打ち込まれた遊技球を受け入れ可能な始動口と、
前記遊技盤の遊技領域であって遊技球の流下方向について前記始動口よりも上流側に設けられ、一または複数の図柄および演出画像を表示可能な表示手段と、
前記遊技盤の遊技領域に設けられ、遊技領域に向けて打ち込まれた遊技球を受け入れ困難な閉状態と当該閉状態よりも遊技領域に向けて打ち込まれた遊技球を受け入れ容易な開状態との間で開閉動作可能な開閉装置と、
一または複数の遊技球を払い出し可能な遊技球払出手段と、
前記遊技領域に向けて打ち込まれた遊技球が前記始動口に受け入れられたことを検出する始動検出手段、
前記始動検出手段による遊技球の検出に基づいて少なくとも特別当たりに当選したか否かを判定する当否判定手段、
前記表示手段に表示される一または複数の図柄の変動表示を行い、前記当否判定手段による判定結果を導出する図柄表示制御手段、
前記開閉装置の開閉動作を実行可能な開閉動作制御手段、
前記当否判定手段により特別当たりに当選したと判定されたことに基づいて、前記開閉動作制御手段により多量の遊技球が受け入れられるように前記開閉装置の開放を維持すると共に、当該開閉装置の開閉動作を複数回連続して行う特別当たり遊技を実行する特別当たり遊技実行手段、
前記遊技領域に向けて打ち込まれた遊技球が前記開閉装置に受け入れられたことを検出する開閉装置入賞検出手段、および、
少なくとも前記開閉装置入賞検出手段による遊技球の検出に基づいて、前記遊技球払出手段により遊技球を払い出す遊技球払出制御手段、
を少なくとも有する遊技制御手段と
を備えた遊技機であって、
前記開閉装置は、少なくとも、
遊技球の流下方向について前記始動口よりも下流側に設けられ、前記特別当たり遊技実行手段により特別当たり遊技が実行されているときに前記開閉動作制御手段による開閉動作を実行可能な下部開閉装置と、
遊技球の流下方向について前記始動口よりも上流側に設けられ、前記特別当たり遊技実行手段により特別当たり遊技が実行されているときに前記開閉動作制御手段による開閉動作を実行可能であると共に、当該開閉動作制御手段による開閉動作の実行中に受け入れた遊技球が演出に用いられる上部開閉装置と
から構成されており、
前記特別当たり遊技実行手段は、前記当否判定手段により特別当たりに当選したと判定されたことに基づいて、前記開閉動作制御手段によって前記開閉装置の開閉動作を実行し、当該開閉装置の開閉動作が複数回連続して実行されている間に、必ず１回は前記上部開閉装置の開閉動作を実行するものであり、
特別当たり遊技における開閉装置の最後の開閉動作は、当該特別当たり遊技における上部開閉装置の最後の開閉動作であって、さらに、
特別当たり遊技において前記上部開閉装置に入賞した遊技球の少なくとも一つを保持可能な遊技球保持手段と、
特別当たり遊技において前記上部開閉装置に入賞した遊技球を排出する遊技球排出手段と、
遊技球の流下方向について前記上部開閉装置よりも下流側に設けられ、当該上部開閉装置に入賞した遊技球を用いて所定の演出動作を実行可能な演出用役物と、
を備えており、
前記遊技制御手段は、特別当たり遊技における前記上部開閉装置の開閉動作により遊技球が当該上部開閉装置に入賞した場合であっても、少なくとも第１の条件が成立していれば、特別当たり遊技における前記上部開閉装置の開閉動作により当該上部開閉装置に入賞した遊技球を前記遊技球保持手段により保持させることなく、当該上部開閉装置に入賞した遊技球の全てを、前記遊技球排出手段により前記演出用役物とは異なる方向へ排出させる
ことを特徴とする遊技機。
【請求項２】
前記遊技制御手段は、
前記当否判定手段により所定の確率で当選する特別当たりに当選したか否かが判定される通常遊技を実行する通常遊技実行手段と、
当該通常遊技よりも特別当たりに当選しやすい確率で、前記当否判定手段により特別当たりに当選したか否かが判定される確変遊技を実行する確変遊技実行手段と、を有し、
前記当否判定手段による判定結果が第１の特別当たりである場合、特別当たり遊技の終了後に前記通常遊技実行手段による通常遊技を実行する一方、前記当否判定手段による判定結果が第２の特別当たりである場合、特別当たり遊技の終了後に前記確変遊技実行手段による確変遊技を実行するものであって、
前記第１の条件は、前記当否判定手段により第２の特別当たりと判定され、かつ、前記図柄表示制御手段によって当該第２の特別当たりが導出されることであって、
前記遊技制御手段は、少なくとも第１の条件が成立していれば、前記当否判定手段による判定結果に基づく特別当たり遊技において前記上部開閉装置に入賞した遊技球の全てを、前記遊技球排出手段により前記演出用役物とは異なる方向へ排出させる
請求項１に記載の遊技機。
【請求項３】
前記遊技制御手段は、前記当否判定手段による判定結果に基づいて、特別当たり遊技の終了後に実行される遊技状態が通常遊技および確変遊技のいずれであるかを導出する遊技状態導出手段を有しており、
前記遊技状態導出手段は、特別当たり遊技の終了に際して、前記上部開閉装置に入賞した遊技球を少なくとも一つ用いて通常遊技および確変遊技のいずれかを教唆する演出を実行することで、当該特別当たり遊技の終了後に実行される遊技状態である特別当たり後遊技状態が通常遊技および確変遊技のいずれであるかを導出可能であり、
前記遊技制御手段は、前記演出画像として、前記遊技状態導出手段による特別当たり後遊技状態を導出する態様が各々異なる複数の導出パターンを選択可能に示す導出パターン選択画面を、特別当たり遊技の終了に際して前記表示手段に表示する演出表示制御手段を有し、
前記演出表示制御手段により前記表示手段で表示された導出パターン選択画面に示される複数の導出パターンのうち、任意の一を選択するための導出パターン選択手段を備え、
前記遊技状態導出手段は、前記導出パターン選択手段により選択された導出パターンに基づいて特別当たり後遊技状態を導出するものであって、
前記第１の条件は、前記導出パターン選択手段により選択された導出パターンが、前記演出用役物を用いて特別当たり後遊技状態を導出する態様とは異なる態様である場合に成立し、
前記遊技状態導出手段は、少なくとも第１の条件が成立していれば、前記当否判定手段による判定結果に基づく特別当たり遊技において前記上部開閉装置に入賞した遊技球の全てを、前記遊技球排出手段により前記演出用役物とは異なる方向へ排出させる
請求項２に記載の遊技機。
【手続補正書】
【提出日】平成21年5月26日(2009.5.26)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向けて打ち込まれた遊技球が流下可能な遊技盤と、
前記遊技盤の遊技領域に設けられ、当該遊技領域に向けて打ち込まれた遊技球を受け入れ可能な始動口と、
前記遊技盤の遊技領域であって遊技球の流下方向について前記始動口よりも上流側に設けられ、一または複数の図柄および演出画像を表示可能な表示手段と、
前記遊技盤の遊技領域に設けられ、遊技領域に向けて打ち込まれた遊技球を受け入れ困難な閉状態と当該閉状態よりも遊技領域に向けて打ち込まれた遊技球を受け入れ容易な開状態との間で開閉動作可能な開閉装置と、
一または複数の遊技球を払い出し可能な遊技球払出手段と、
前記遊技領域に向けて打ち込まれた遊技球が前記始動口に受け入れられたことを検出する始動検出手段、
前記始動検出手段による遊技球の検出に基づいて少なくとも特別当たりに当選したか否かを判定する当否判定手段、
前記表示手段に表示される一または複数の図柄の変動表示を行い、前記当否判定手段による判定結果を導出する図柄表示制御手段、
前記開閉装置の開閉動作を実行可能な開閉動作制御手段、
前記当否判定手段により特別当たりに当選したと判定されたことに基づいて、前記開閉動作制御手段により多量の遊技球が受け入れられるように前記開閉装置の開放を維持すると共に、当該開閉装置の開閉動作を複数回連続して行う特別当たり遊技を実行する特別当たり遊技実行手段、
前記遊技領域に向けて打ち込まれた遊技球が前記開閉装置に受け入れられたことを検出する開閉装置入賞検出手段、および
少なくとも前記開閉装置入賞検出手段による遊技球の検出に基づいて、前記遊技球払出手段により遊技球を払い出す遊技球払出制御手段、
を少なくとも有する遊技制御手段と
を備えた遊技機であって、
前記開閉装置は、少なくとも、
遊技球の流下方向について前記始動口よりも下流側に設けられ、前記特別当たり遊技実行手段により特別当たり遊技が実行されているときに前記開閉動作制御手段による開閉動作を実行可能な特別当たり下部開閉装置と、
遊技球の流下方向について前記始動口よりも上流側に設けられ、前記特別当たり遊技実行手段により特別当たり遊技が実行されているときに前記開閉動作制御手段による開閉動作を実行可能であると共に、当該開閉動作制御手段による開閉動作の実行中に受け入れた遊技球が演出に用いられる上部開閉装置と、
から構成されており、
前記特別当たり遊技実行手段は、前記当否判定手段により特別当たりに当選したと判定されたことに基づいて、前記開閉動作制御手段によって前記開閉装置の開閉動作を実行し、当該開閉装置の開閉動作が複数回連続して実行されている間に、必ず１回は前記上部開閉装置の開閉動作を実行するものであり、
特別当たり遊技における開閉装置の最後の開閉動作は、当該特別当たり遊技における上部開閉装置の最後の開閉動作であって、さらに、
特別当たり遊技において前記上部開閉装置に入賞した遊技球の少なくとも一つを保持可能な遊技球保持手段と、
特別当たり遊技において前記上部開閉装置に入賞した遊技球を排出する遊技球排出手段と、
遊技球の流下方向について前記上部開閉装置よりも下流側に設けられ、当該上部開閉装置に入賞した遊技球を用いて所定の演出動作を実行可能な演出用役物と
を備えており、
前記遊技制御手段は、特別当たり遊技における前記上部開閉装置の開閉動作により遊技球が当該上部開閉装置に入賞した場合であって、少なくとも第１の条件が成立した場合には、特別当たり遊技における前記上部開閉装置の開閉動作のうちで、最後の開閉動作により当該上部開閉装置に入賞した遊技球の少なくとも一つを前記遊技球保持手段により保持させる一方、当該遊技球保持手段により保持されない遊技球を前記遊技球排出手段により排出させ、さらに、
第２の条件が成立した場合には、前記遊技球保持手段により保持された遊技球を前記演出用役物に供給させて、当該演出用役物に当該遊技球を用いた所定の演出動作を実行させる
ことを特徴とする遊技機。
【請求項２】
前記遊技制御手段は、
前記当否判定手段により所定の確率で当選する特別当たりに当選したか否かが判定される通常遊技を実行する通常遊技実行手段と、
当該通常遊技よりも特別当たりに当選しやすい確率で、前記当否判定手段により特別当たりに当選したか否かが判定される確変遊技を実行する確変遊技実行手段と、を有し、
前記当否判定手段による判定結果が第１の特別当たりである場合、特別当たり遊技の終了後に前記通常遊技実行手段による通常遊技を実行する一方、前記当否判定手段による判定結果が第２の特別当たりである場合、特別当たり遊技の終了後に前記確変遊技実行手段による確変遊技を実行するものであって、
前記第１の条件は、前記当否判定手段により第１の特別当たりに当選したと判定された場合と、前記当否判定手段により第２の特別当たりに当選したと判定され、かつ前記図柄表示制御手段により当該第２の特別当たりとは異なる判定結果が導出された場合とに成立するものであり、
前記遊技制御手段は、少なくとも第１の条件が成立していれば、前記当否判定手段による判定結果に基づく特別当たり遊技において前記上開閉装置に入賞した遊技球の少なくとも一つを前記遊技球保持手段に保持させる
請求項１に記載の遊技機。
【請求項３】
前記遊技制御手段は、前記当否判定手段による判定結果に基づいて、特別当たり遊技の終了後に実行される遊技状態が通常遊技および確変遊技のいずれであるかを導出する遊技状態導出手段を有しており、
前記遊技状態導出手段は、特別当たり遊技の終了に際して、前記上開閉装置に入賞した遊技球を少なくとも一つ用いて通常遊技および確変遊技のいずれかを教唆する演出を実行することで、当該特別当たり遊技の終了後に実行される遊技状態である特別当たり後遊技状態が通常遊技および確変遊技のいずれであるかを導出可能であり、
前記第２の条件は、前記遊技状態導出手段による特別当たり後遊技状態の導出時に成立するものであって、
前記遊技状態導出手段は、第２の条件が成立した場合、前記遊技球保持手段から前記演出用役物に遊技球を供給させて、当該演出用役物に当該遊技球を用いた所定の演出動作を実行させる
請求項２に記載の遊技機。
【手続補正書】
【提出日】平成21年5月26日(2009.5.26)
【手続補正１】
【補正対象書類名】特許請求の範囲
【補正対象項目名】全文
【補正方法】変更
【補正の内容】
【特許請求の範囲】
【請求項１】
複数の遊技球が打ち込まれ、当該打ち込まれた複数の遊技球が流下可能な遊技領域と、
前記遊技球の流下方向について最下流側に形成され、前記遊技領域に打ち込まれた遊技球を排出する排出口と、
前記排出口に向けて流下する遊技球の流下態様を不規則に変化させる流下態様変化手段と、
前記遊技領域を流下する複数の遊技球を対象として前記流下態様変化手段によって一球ずつ受け入れ可能な第一受入口と、
前記第一受入口よりも遊技球の受け入れが困難な第１の態様と前記第一受入口よりも遊技球の受け入れが容易な第２の態様とに切り替え可能な第二受入口と、
一または複数の図柄を表示可能な図柄表示手段と、
所定の演出を表示可能な演出表示手段と、
前記第一受入口または前記第二受入口に遊技球が受け入れられたことを検出する受入検出手段、
前記受入検出手段による遊技球の検出に基づいて抽選を行う抽選手段、
前記図柄表示手段に表示される一または複数の図柄の変動表示を行い、前記抽選手段による抽選結果を導出する図柄表示制御手段、
前記抽選手段による抽選または／および抽選結果の導出を保留する保留手段、
前記所定の演出としての特別演出遊技態様を少なくとも前記演出表示手段に表示する演出表示制御手段、
前記第二受入口を、所定条件の成立に応じて第１の態様と第２の態様との間で切り替え可能な第二受入口態様切替実行手段、
前記抽選手段による抽選に当選したことに応じて、遊技者に所定の遊技価値を付与可能となる大当たり遊技を実行する大当たり遊技実行手段、
所定の頻度で第１の態様と第２の態様との間で切り替えることによって前記第二受入口への遊技球の受け入れが容易となる有利遊技を実行する有利遊技実行手段、並びに
第１の態様と第２の態様との間で切り替えることなく若しくは第１の態様と第２の態様との間での切り替え頻度が前記有利遊技が実行されている場合よりも少ない通常遊技を実行する通常遊技実行手段、
を少なくとも有する遊技制御手段と
を備え、
前記受入検出手段は、前記第一受入口に受け入れられたことを検出する第一受入検出手段および前記第二受入口に受け入れられたことを検出する第二受入検出手段を有すると共に、
前記抽選手段は、前記第一受入検出手段および前記第二受入検出手段のいずれによる遊技球の検出であるかを判別して抽選を行うものであって、
前記保留手段は、前記第一受入検出手段による検出に基づく抽選または／および抽選結果の導出を第１所定数の範囲内で保留する第一保留手段および前記第二受入検出手段による検出に基づく抽選または／および抽選結果の導出を第２所定数の範囲内で保留する第二保留手段を有しており、
前記図柄表示制御手段は、前記第一受入検出手段による検出に基づく抽選結果および前記第二受入検出手段による検出に基づく抽選結果を一つずつ導出するものであって、
前記特別演出遊技態様には、
特有の表示で導出される蓄積特典態様と、
特定条件の成立に応じて、前記蓄積特典態様が導出されるための導出進捗状況を、導出進捗値として所定の達成上限値に近づく態様で蓄積表示される蓄積表示態様と
が含まれており、
前記蓄積特典態様は、前記導出進捗値が前記所定の達成上限値まで蓄積表示されたときに前記蓄積表示態様とは異なる態様で表示される態様であって、
前記演出表示制御手段は、
前記特定条件にかかる前記第二受入口に遊技球が受け入れられることに基づいて保留される毎に、導出進捗値を蓄積表示態様として蓄積表示する蓄積演出表示制御手段と、
前記第二受入口に遊技球が受け入れられることに基づく保留によって前記導出進捗値が前記所定の達成上限値に至ったとき、前記蓄積特典態様を表示する蓄積特典演出表示制御手段と
を有しており、
前記蓄積演出表示制御手段は、前記有利遊技実行手段によって第二受入口への遊技球の受け入れが容易となる有利遊技が実行されている場合には、前記第二受入口に遊技球が受け入れられたとしても、導出進捗値を蓄積表示態様として蓄積表示することなく、前記通常遊技実行手段によって通常遊技が実行されている場合に、導出進捗値を蓄積表示態様として蓄積表示する
ことを特徴とする遊技機。
【請求項２】
前記遊技機は、前記遊技領域を流下する遊技球が通過可能な通過口をさらに備えると共に、
前記遊技制御手段は、
遊技領域に向けて打ち込まれた遊技球が前記通過口を通過したことを検出する通過検出手段、および
前記通過検出手段による遊技球の検出に応じて抽選を行う第三抽選手段
をさらに有しており、
前記第二受入口態様切替実行手段は、前記第三抽選手段による抽選において当選した場合にのみ、前記第二受入口を第１の態様から第２の態様に切り替えるものであって、
前記有利遊技実行手段は、前記第二受入口について第１の態様から第２の態様への切り替え頻度を前記通常遊技実行手段によって通常遊技が実行されている場合よりも高くすることによって前記第一受入口よりも前記第二受入口への受け入れが容易となるように、前記第三抽選手段による抽選を行う
請求項１に記載の遊技機。
【請求項３】
前記遊技制御手段は、所定条件の成立によって、前記抽選手段による抽選における当選確率を、前記通常遊技が実行されている場合における当選確率よりも高めた確変遊技を実行可能な確変遊技実行手段を、さらに有すると共に、
前記確変遊技実行手段によって確変遊技が実行されている場合において、
前記演出表示制御手段は、
前記確変遊技と併せて前記有利遊技実行手段による有利遊技が実行されている場合には、前記第二受入口に遊技球が受け入れられたとしても、導出進捗値を蓄積表示態様として蓄積表示することなく、
前記有利遊技実行手段によって有利遊技が実行されることなく前記確変遊技が実行されている場合にのみ、前記通常遊技実行手段によって通常遊技が実行されている場合に表示する遊技態様と極似する遊技態様を表示すると共に、導出進捗値を蓄積表示態様として蓄積表示する
請求項２に記載の遊技機。
【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
遊技領域を特別入球口が設けられる第１の遊技領域とその他の第２の遊技領域とに区画形成する役物と、
前記第２の遊技領域に設けられる第１の始動口と、
前記第２の遊技領域に設けられる第２の始動口と、
前記第１の遊技領域内への遊技球の進入の確率が高くなるように動作可能な第１の可動片と、
前記第１の始動口への遊技球の入球の必要条件となる動作を行う第２の可動片と、
予め定められた数値範囲内で生成される数である乱数が保持される乱数保持手段と、
前記第２の始動口に遊技球が入球されたとき、前記乱数保持手段により保持される乱数に基づいて前記第２の可動片の動作契機となる当たりについての当落にかかる抽選処理を行う抽選手段と、
前記抽選手段により前記当たりが当選されることに基づいて前記第２の可動片の駆動制御を行うとともに当該駆動制御に応じた前記第２の可動片の動作によって入球可能とされた前記第１の始動口に遊技球がさらに入球されたとき、前記第１の可動片の駆動制御を行う駆動制御手段と、
前記駆動制御手段による前記第１の可動片の駆動制御を通じて前記第１の遊技領域内に進入した遊技球が前記特別入球口に受け入れられたとき、遊技者にとって有利な特別遊技を行う特別遊技実行手段と、
前記第１の始動口への遊技球の入球に基づいて行われる表示演出と、前記第２の始動口への遊技球の入球に基づいて行われる表示演出とを切り替えて所定の表示部にて表示する演出制御手段と、
を備える遊技機。
【請求項２】
前記抽選手段による前記抽選処理の結果には、前記第２の可動片が動作するときの動作時間として各々異なる動作時間を示す動作時間情報がそれぞれ対応付けされた複数種の当たりが前記第２の可動片の動作契機となる当たりとして含まれ、前記駆動制御手段は、前記第２の可動片の駆動制御を行うときは該当する当たりの種類に応じた動作時間だけ前記第２の可動片が動作するように前記第２の可動片の駆動制御を行う
請求項１に記載の遊技機。
【請求項３】
前記抽選手段は、前記動作時間情報のうちの短い動作時間が対応付けされている当たりを短当たり、前記動作時間情報のうちの長い動作時間が対応付けされている当たりを長当たりとするとき、前記短当たりが前記長当たりよりも頻繁に当選されるかたちで前記抽選処理を行う
請求項２に記載の遊技機。
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
乾燥具材と凍結乾燥により乾燥した可溶性基材とを一緒に包装した乾燥食品において、
前記可溶性基材でその外形が箱型の形状でありその厚みをほぼ同一にした器に形成すると共に、この可溶性基材の器に前記乾燥具材と増粘剤を所定量装填し、この可溶性基材の器と乾燥具材と増粘剤を一つの袋で包装したことを特徴とする乾燥食品。
【手続補正２】
【補正対象書類名】明細書
【補正対象項目名】００１３
【補正方法】変更
【補正の内容】
【００１３】
本発明は、乾燥具材と凍結乾燥により乾燥した可溶性基材とを一緒に包装した乾燥食品において、前記可溶性基材でその外形が箱型の形状でありその厚みをほぼ同一にした器に形成すると共に、この可溶性基材の器に前記乾燥具材と増粘剤を所定量装填し、この可溶性基材の器と乾燥具材と増粘剤を一つの袋で包装したことを特徴とするものである。
【手続補正書】
【提出日】平成20年12月11日(2008.12.11)
【手続補正１】
【補正対象書類名】明細書
【補正対象項目名】０００２
【補正方法】変更
【補正の内容】
【０００２】
たばこ煙中の成分をろ過するための吸着体として種々の構成成分が提案されている。このような構成成分としては、酸性成分の吸着、ホルムアルデヒドの吸着などを目的としてアミン成分などの塩基性成分を添加するものが多く報告されている。例えば、特開昭５９−８８０７８号公報（特許文献１）、特開昭５９−１５１８８２号公報（特許文献２）、および特開昭６０−５４６６９号公報（特許文献３）には、活性炭素にポリエチレンイミンや蒸気圧が低い脂肪族アミンを添着させたタバコ煙フィルター用吸着剤を、特表２００２−５２８１０５号公報（特許文献４）および特表２００２−５２８１０６号公報（特許文献５）には、３−アミノプロピルシリルおよび関連原子団を共有結合したたばこフィルターを、特表２００３−５０５６１８号公報（特許文献６）にはアンモニウム塩を含む充填材を、それぞれ開示している。
【手続補正２】
【補正対象書類名】明細書
【補正対象項目名】０００９
【補正方法】変更
【補正の内容】
【０００９】
しかし、これらの文献に記載の方法では、（ポリ）アミノ酸類を使用することにより、人体に対する安全性が向上するものの、依然として、ホルムアルデヒドなどのアルデヒド類を選択に十分に除去することは困難である。
【特許文献１】特開昭５９−８８０７８号公報（特許請求の範囲）
【特許文献２】特開昭５９−１５１８８２号公報（特許請求の範囲）
【特許文献３】特開昭６０−５４６６９号公報（特許請求の範囲）
【特許文献４】特表２００２−５２８１０５号公報（特許請求の範囲）
【特許文献５】特表２００２−５２８１０６号公報（特許請求の範囲）
【特許文献６】特表２００３−５０５６１８号公報（特許請求の範囲）
【特許文献７】特開昭４８−６１６９５号公報（特許請求の範囲）
【特許文献８】米国特許第２９６８３０６号公報（特許請求の範囲）
【特許文献９】特表平１１−５００９２６号公報（特許請求の範囲、第６頁第１〜３行）
【特許文献１０】特開昭６２−２３２３７１号公報（特許請求の範囲、第２頁右上欄第１５行〜左下欄第７行、第２頁右下欄第１８行〜第３頁左上欄第２行）
【特許文献１１】ＷＯ２００４／０２６０５３号公報（特許請求の範囲、第３頁第４０〜４１行）
【特許文献１２】特開２００６−３４１２７号公報（特許請求の範囲、段落番号［００１０］［００２２］）
【手続補正書】
【提出日】平成21年1月16日(2009.1.16)
【手続補正１】
【補正対象書類名】明細書
【補正対象項目名】０００２
【補正方法】変更
【補正の内容】
【０００２】
癌は日本人の死亡率の第一位の要因であるが、早期診断による早期治療が可能であれば、その死亡率を著しく減少させることができると言われている。
現在、癌の診断は、一般的に細胞検査技師が、被験者から採取した被検試料中の細胞を検鏡により形態学的検査を行うことによって、正常細胞と癌細胞を見分けることによって行われている。しかしながら、この診断方法は、細胞検査技師による目視検査であるため、集団検診のように大量の被検試料を取り扱いには不向きであり、また、被検試料の状態等によっては検査結果にばらつきが生じ、且つ定量的に分析することができないという問題がある。
また、被験者の血漿および血清中の腫瘍由来ＤＮＡを検出することで、癌の診断を行う方法の研究も行われている。具体的には、被検者から採取した血中に含まれる細胞を濃縮し、当該濃縮された細胞中の血中遊離癌細胞に係るＤＮＡ等を生化学的に分析することで癌の診断を行うというものである。この方法は、大量の被検試料を比較的安全に処理することができるが、血中遊離癌細胞の濃縮工程が困難であり、簡便性に欠けるという問題がある。
一方、近年癌細胞において特異的に増殖する腫瘍溶解性ウイルスを用いた抗癌剤（特許文献１）や癌細胞検出試薬が報告されている（特許文献２）。腫瘍溶解性ウイルスとは、癌細胞中で特異的に増殖するウイルスのことで、該ウイルスを癌細胞に感染させることにより、癌細胞を直接的に破壊・死滅させることができ、そのゲノムに標識タンパク質の遺伝子を組み込むことで癌細胞を簡便に検出することが可能となる。しかしながら、癌細胞の検出は簡便であっても、腫瘍溶解性ウイルスは正常細胞にも感染性を有するため、該検出を行うにはＰ２レベルの大規模な設備が必要となる。従って、現実的に集団検診等での使用は困難であるという問題があった。
【特許文献１】ＷＯ２００４／００５５１１号公報
【特許文献２】ＷＯ２００６／０３６００４号公報